(57)【特許請求の範囲】
【請求項１】
底板部(2) の両側に側板部(3) 、(3) を立設した長さの短いケーブル保護枠体(1) の多数個を各底板部(2) の一方の端部側を連結差込板部(2a)に形成するとともに他方の端部側を該連結差込板部(2a)が上下に間隙を確保できるように遊嵌できるスリット(2c)を設けた連結受板部(2b)に形成したうえ、前後の中央をもって水平方向に軸着して連結するとともに、各ケーブル保護枠体(1) の両側板部(3)、(3) の一方の端部側に相隣るケーブル保護枠体(1) の側板部(3)、(3) の他方の端部側が入り込むように、両側板部(3) 、(3) の一方の端部側の内面を底板部(2) の軸着部を中心軸とした凹円弧面(5a)に形成したうえ両側板部(3) 、(3) の他方の端部側の外面を該凹円弧面(5a)と略同一曲率半径の凸円弧面(5b)に形成したことを特徴するケーブル保護材。
【請求項２】
両側板部(3) 、(3) の他方の端部側の内面を凹円弧面(6b)に形成した請求項１に記載のケーブル保護材。
【発明の詳細な説明】
【０００１】
【産業上の利用分野】
本発明は、長さの短いケーブル保護枠体の多数個を彎曲自在に連結してなるケーブル保護材に関するものである。
【０００２】
【従来の技術】
従来の長さの短いケーブル保護枠体の多数個を彎曲自在に連結してなるケーブル保護材は、ケーブル保護枠体が自由に彎曲できるようにするため連結箇所の側板部端部同士が彎曲時に互いに干渉しないように側板部端部を切欠したものを普通としていた。
【０００３】
【発明が解決しようとする課題】
ところが、前記のようなケーブル保護材はケーブル保護枠体の側板部端部を切欠させているため、ケーブルを挿入する際に彎曲した箇所の外側の側板部端部の切欠箇所が開拡してケーブルの先端が引っ掛かり挿入作業が厄介である問題がある。また、ケーブル収納後にケーブル保護材が彎曲動作を繰り返して外側の側板部端部の切欠箇所にこすれてケーブルが傷つくおそれがあった。
【０００４】
【課題を解決するための手段】
上記の課題を解決するためになされた本発明は、底板部の両側に側板部を立設した長さの短いケーブル保護枠体の多数個を各底板部の一方の端部側を連結差込板部に形成するとともに他方の端部側を該連結差込板部が上下に間隙を確保できるように遊嵌できるスリットを設けた連結受板部に形成したうえ、前後の中央をもって水平方向に軸着して連結するとともに、各ケーブル保護枠体の両側板部の一方の端部側に相隣るケーブル保護枠体の側板部の他方の端部側が入り込むように、両側板部の一方の端部側の内面を底板部の軸着部を中心軸とした凹円弧面に形成したうえ両側板部の他方の端部側の外面を該凹円弧面と略同一曲率半径の凸円弧面に形成したことを特徴するものである。
【０００５】
【発明の実施の形態】
次に、本発明の実施の形態を図面に基づき詳細に説明する。
１は底板部２の両側に側板部３、３を立設した長さ約２８mm、高さ約２２mm、幅約２５mmの長さの短いＵ字状のケーブル保護枠体であり、該ケーブル保護枠体１は多数個を各底板部２の前後の中央をもって水平方向に軸着して連結されている。各ケーブル保護枠体１の底板部２の前側の中央と後側の中央には軸着して連結するための連結用の連結突起４ａと連結孔４ｂが形成されており、該連結突起４ａを連結孔４ｂを嵌合することにより水平方向に軸着して連結するものとされている。
【０００６】
なお、前記底板部２は図３、図４及び図５に示すように一方の端部側を連結差込板部２ａに形成するとともに他方の端部側を該連結差込板部２ａが上下に間隙を確保できるように遊嵌できるスリット２ｃを設けた連結受板部２ｂに形成して、図５に示すように連結差込板部２ａを連結受板部２ｂのスリット２ｃに挿入し該連結差込板部２ａの表裏面に突設した半球状の連結突起４ａ、４ａを前記連結受板部２ｂに設けた連結孔４ｂ、４ｂに嵌合させており、これにより、図１に示す左右方向の彎曲は勿論のこと図６に示す上下方向の彎曲も同時に行うことができるものである。
【０００７】
また、前記側板部３、３は対称形状として一方の端部側を相隣るケーブル保護枠体１の両側板部３、３の他方の端部側に入り込むように、両側板部３、３の一方の端部側の内面を底板部２の軸着部即ち連結突起４ａ又は連結孔４ｂを中心軸とした凹円弧面５ａに形成したうえ他方の端部側の外面を該凹円弧面５ａと略同一曲率半径の凸円弧面５ｂに形成している。さらに、他方の端部側の内面を外面の凸円弧面５ｂと平行な凹円弧面６ｂに形成し、また、一方の端部側の外面を内面の凹円弧面５ａと平行な凸円弧面６ａに形成している。
【０００８】
また、前記底板部２の一方の端部側の連結差込板部２ａの両側に切欠部１３を設けるとともに連結受板部２ｂの両側に切欠部１４を設け、この各切欠部１３、１４の前端面同士が同一レベルとして彎曲時に内側となる端面同士が当接して一定の曲率以下に彎曲しないように規制している。７は底板部２の両側中央に突設した固定用の短円柱状の突起であり、該突起７を取付具１１の固定板部１１ａに立設した軸受板部１１ｂの軸孔１１ｃに軸支させるものである。また、８は両側板部３、３の中央上端に形成した蓋板１２を取り付けるための係止部であり、蓋板１２は彎曲時の障害とならないように側板部３、３の中央のみを施蓋するものとしている。
【０００９】
このように構成された本発明のケーブル保護材は、長さの短いケーブル保護枠体１の多数個を各ケーブル保護枠体１の底板部２の前後の中央をもって水平方向に軸着して連結したものであるので左右いずれの方向にも彎曲できるから、彎曲させて配線する必要があるケーブルを的確に保護できるものである。この場合、各ケーブル保護枠体１は底板部２の両側に立設したガイド用の側板部３、３は一方の端部側に相隣るケーブル保護枠体１の側板部３、３の他方の端部側が入り込むように、両側板部３、３の一方の端部側の内面を底板部２の軸着部を中心軸とした凹円弧面５ａに形成したうえ両側板部３、３の他方の端部側の外面を該凹円弧面５ａと略同一曲率半径の凸円弧面５ｂに形成したものであるから、彎曲した箇所の外側となる相隣るケーブル保護枠体１の側板部３と側板部３との間は一方の端部側に入り込でいる他方の端部側が入り込み状態を浅くするが開拡するには至ることがなく、また、内側となる側板部３と側板部３とは相互に入り込み状態を深くし彎曲に追従できる。
【００１０】
従って、ケーブルを先端側のケーブル保護枠体１の側板部３、３の間から挿入する際にケーブルの先端が引っ掛かかる問題がないものであり、さらに、彎曲した箇所の外側となる一方の端部側に入り込でいる他方の端部側の入り込み状態が浅くなるので凹円弧面５ａが露出してケーブルを彎曲側に誘導するので挿入作業がより容易になる。なお、他方の端部側の内面も凹円弧面６ｂにすることにより該凹円弧面６ｂもケーブルを彎曲側に誘導するので挿入作業を容易とする。また、外面が凸円弧面５ｂである他方の端部側の端面をテーパ状に形成することにより他方の端部側からケーブルの先端を挿入する配線作業をしても該ケーブルの先端が他方の端部側の端面に引っ掛からず作業が容易となる。
【００１１】
また、このケーブル保護材は配線距離が変動する箇所例えば動きのある装置間を配線する際に変動する配線距離に対応できるように距離が短くなる場合にケーブルを彎曲させ、長い場合にはケーブルを伸長するのに応じてケーブル保護材が彎曲、伸長するように入口側となる先端と出口側となる基端のケーブル保護枠体１のみを固定することにより行うことができる。この場合に、底板部２の一方の端部側の連結差込板部２ａの両側に切欠部１３を設けるとともに連結受板部２ｂの両側に切欠部１４を設け、この各切欠部１３、１４の前端面同士が同一レベルとして彎曲時に内側となる端面同士が当接して一定の曲率以下に彎曲しないように規制しておくことにより、小さく彎曲した場合に機能が低下する光ファイバーケーブルに最適なものとなる。
【００１２】
また、一方の端部側の外面を内面の凹円弧面５ａと平行な凸円弧面６ａに他方の端部側の内面を外面の凸円弧面５ｂと平行な凹円弧面６ｂに形成することにより、前記したとおりケーブルの挿入作業を容易とすることは勿論、側板部３の厚みを薄くでき軽量化され彎曲、伸長が容易となる外に材料の節約となる利点もある。
【００１３】
【発明の効果】
本発明は以上の説明によって明らかなように、彎曲した箇所の外側の相隣るケーブル保護枠体の側板部と側板部との間は一方の端部側に入り込でいる他方の端部側が入り込み状態を浅くするのみで開くことがなく、しかも、凹円弧面が露出して該凹円弧面がケーブルをより彎曲方向に誘導するので、ケーブルの挿入作業も容易となるものである。
従って、本発明は従来の長さの短いケーブル保護枠体の多数個を彎曲自在に連結してなるケーブル保護材の問題点を解決したものとして業界にもたらす益大なものである。
【図面の簡単な説明】
【図１】本発明の実施の形態を示す平面図である。
【図２】本発明の実施の形態に使用するケーブル保護枠体を示す斜視図である。
【図３】本発明の実施の形態に使用するケーブル保護枠体を示す一部切欠平面図である。
【図４】本発明の実施の形態に使用するケーブル保護枠体を示す側面図である。
【図５】本発明の実施の形態を示す要部の断面図である。
【図６】本発明の実施の形態を示す側面図である。
【符号の説明】
１    長さの短いケーブル保護枠体
２    底板部
３    側板部
５ａ  凹円弧面
５ｂ  凸円弧面
６ｂ  凹円弧面
【図１】
0003792063.tif 000002
【図２】
0003792063.tif 000003
【図３】
0003792063.tif 000004
【図４】
0003792063.tif 000005
【図５】
0003792063.tif 000006
【図６】
0003792063.tif 000007